(57)【要約】【課題】  本発明はスマートフォン向けのＷｅｂサイトのユーザー獲得方法を提供する。【解決手段】  ホストオペレーターが運営する仲介サイトを備え、この仲介サイトにはユーザーを新規登録するための新規登録手段を備え、この仲介サイトにはアフィリエイトプログラムを紹介するためのプログラム紹介手段を備え、新規ユーザーが勧誘対象となるアフィリエイトプログラムを、新規ユーザーのスマートフォンにダウンロードしてインストールした時点で、その新規ユーザーと新規ユーザーに紹介者がある場合にはその紹介者に報酬ポイントを付与する報酬ポイント付与手段を備え、同じくアフィリエイトプログラムを提供するアフィリエイト業者から、前記仲介サイトにアフィリエイト報酬を支払うためのアフィリエイト報酬支払い手段を備え、前記報酬ポイントの一定額を仲介サイトに支払うことで、新規ユーザーを報酬ポイント支払い者のダウンラインとして獲得できるようにするダウンライン獲得手段を備えたことを特徴とする。【選択図】  図１
2014067133.tif 000002
【特許請求の範囲】
【請求項１】
ホストオペレーターが運営する仲介サイトを備え、
この仲介サイトにはユーザーを新規登録するための新規登録手段を備え、
この仲介サイトにはスマートフォン向けの勧誘対象となるアフィリエイトプログラムを紹介するためのプログラム紹介手段を備え、
新規ユーザーが勧誘対象となるアフィリエイトプログラムを、新規ユーザーのスマートフォンにダウンロードしてインストールした時点で、その新規ユーザーと新規ユーザーに紹介者がある場合にはその紹介者に報酬ポイントを付与する報酬ポイント付与手段を備え、
同じく新規ユーザーが勧誘対象となるアフィリエイトプログラムを、新規ユーザーのスマートフォンにダウンロードしてインストールした時点で、アフィリエイトプログラムを提供するアフィリエイト業者から、前記仲介サイトにアフィリエイト報酬を支払うためのアフィリエイト報酬支払い手段を備え、
前記報酬ポイントの一定額を仲介サイトに支払うことで、新規ユーザーを報酬ポイント支払い者のダウンラインとして獲得できるようにするダウンライン獲得手段を備えたことを特徴とするスマートフォン向けのＷｅｂサイトのユーザー獲得方法。
【請求項２】
マルチレベルボーナスシステムで報酬ポイント付与手段が運営されるようにしたことを特徴とする請求項１記載のスマートフォン向けのＷｅｂサイトのユーザー獲得方法。
【発明の詳細な説明】
【技術分野】
【０００１】
本発明はスマートフォン向けのＷｅｂサイトのユーザー獲得方法に係り、さらに詳しくは、特定のＷｅｂサイトに新規にアクセスする側の新規顧客（以下単に、「ユーザー」という）をインターネット（以下「ネット」という場合もある）上で効率的に獲得できる、スマートフォン向けのＷｅｂサイトのユーザー獲得方法に関する。
【背景技術】
【０００２】
従来のＷｅｂサイトへのユーザー獲得方法は、モバゲータウン（登録商標）やGREE（登録商標）及びそのシステムが類似するサイト（以下、「勧誘サイト」という）において知り合いや友人を目的の勧誘サイトに招待、勧誘して誘った人が新規のユーザーとして入会するとアイテムやポイント等がもらえるという特典が与えられ、このポイントの増大を励みとしてユーザーを増やすという仕組みであった。
【０００３】
上記のように、従来のユーザー獲得方法では、知り合いの数が少ない場合には、成功が難しかったり、さらには相手がそのアプリ等に興味がないと一旦誘っても断られる場合があり、その場合には両者（勧誘者と被勧誘者）の関係が気まずくなる恐れ、つまり勧誘しても断られるというリスクの問題があった。
さらに、物品やアプリを事前購入して初期費用などのリスクを負担しなければならないという問題もあった。
【先行技術文献】
【特許文献】
【０００４】
【特許文献１】特開２００９−９３２７２
【発明の概要】
【発明が解決しようとする課題】
【０００５】
本発明は、上記の問題を解消して、本発明はマルチ（ネットワーク商法）の良い点（急速な拡大スピードが期待できる）を残し、欠点と思われる点（１．知り合いが少ないと成功は難しい、２．強引な勧誘で友達を無くす恐れがある、３．物品やサービスを購入するという初期費用などのリスクがある）をなくしたスマートフォン向けのＷｅｂサイトのユーザー獲得方法を提供するものである。
本発明の適用範囲は、リアルな物品のマルチ販売ではなく、インターネットを使った各種サービスの提供や販売に限られる。
【課題を解決するための手段】
【０００６】
上記目的を達成するために、請求項１記載の発明は、ホストオペレーターが運営する仲介サイトを備え、
この仲介サイトにはユーザーを新規登録するための新規登録手段を備え、
この仲介サイトにはスマートフォン向けの勧誘対象となるアフィリエイトプログラムを紹介するためのプログラム紹介手段を備え、
新規ユーザーが勧誘対象となるアフィリエイトプログラムを、新規ユーザーのスマートフォンにダウンロードしてインストールした時点で、その新規ユーザーと新規ユーザーに紹介者がある場合にはその紹介者に報酬ポイントを付与する報酬ポイント付与手段を備え、
同じく新規ユーザーが勧誘対象となるアフィリエイトプログラムを、新規ユーザーのスマートフォンにダウンロードしてインストールした時点で、アフィリエイトプログラムを提供するアフィリエイト業者から、前記仲介サイトにアフィリエイト報酬を支払うためのアフィリエイト報酬支払い手段を備え、
前記報酬ポイントの一定額を仲介サイトに支払うことで、新規ユーザーを報酬ポイント支払い者のダウンラインとして獲得できるようにするダウンライン獲得手段を備えたことを特徴とするスマートフォン向けのＷｅｂサイトのユーザー獲得方法である。
【０００７】
請求項２記載の発明は、マルチレベルボーナスシステムで報酬ポイント付与手段が運営されるようにしたことを特徴とする請求項１記載のスマートフォン向けのＷｅｂサイトのユーザー獲得方法である。
【発明の効果】
【０００８】
以上述べたように、本発明に係る請求項１及び２記載のスマートフォン向けのＷｅｂサイトのユーザー獲得方法によれば、新規ユーザーとなる被勧誘者と勧誘者間の人間関係が気まずくなるという問題の発生を未然に防止し、簡単に被勧誘者の存在を見つけ出すことができ、紹介者なしの新規ユーザー（新規登録者）を仲介サイトに取り込むことが可能となり、知人・友人の少ないユーザーであってもアクティブに勧誘行動を起こし易くなり、一方ユーザーが獲得した報酬ポイントは、仲介サイトへの新規ユーザー拡大に向けて支払われる（消費される）ため、実際の報酬ポイントの額が仲介サイト運営者から見れば有効活用され、このため宣伝広告費をかけることなくユーザーの獲得が可能となるなどの効果がある。
【図面の簡単な説明】
【０００９】
【図１】本発明のユーザー獲得方法の全体構成を示すチャート図である。
【発明を実施するための形態】
【００１０】
以下添付図面に基づいて、本発明に係るスマートフォン向けのＷｅｂサイトのユーザー獲得方法の実施の形態を詳説する。
本発明は、ホストオペレーターが運営する仲介サイト１を備え、その仲介サイトは仲介サイトサーバー２により支援されている。
仲介サイト１には、新規登録手段３が備えられており、多数のユーザー４はこの新規登録手段３を介して仲介サイト１に登録される。
【００１１】
また仲介サイトサーバー２には、アフィリエイト業者１０から多数のアフィリエイトプログラム５が登録（仲介サイト１にリンク）されており、このアフィリエイトプログラム５をユーザー４に紹介するプログラム紹介手段６が仲介サイト１に備えられている。このアフィリエイトプログラム５は、通常はアプリケーションソフト（アプリ）に相当するものである。
【００１２】
ついで新規ユーザー４が勧誘対象となるアフィリエイトプログラム５を、仲介サイト１において新規ユーザー４のスマートフォンにダウンロードしてインストールした時点でアフィリエイトが成立し、アフィリエイト業者１０から仲介サイト１にアフィリエイト報酬支払い手段８を通じてアフィリエイト報酬が支払われる。
【００１３】
またユーザー４は、ダウンライン獲得手段９を介して所定の報酬ポイントを仲介サイト１に支払うことで、当該ユーザー４のダウンラインとして新規ユーザー４を獲得できるようにしている。
【００１４】
上記の主だった部分はアフィリエイトプログラムを利用したポイントサイトと同じであるが、本発明においては仲介サイト１上でユーザー４が知り合いや友人を当該仲介サイト１に紹介した場合、大きなメリットがあることを説明しておくと、本発明の運用効率がさらに向上する。
【００１５】
本発明では、知り合いや友人を当該仲介サイト１に紹介すると、ボーナスプランに応じてボーナスを獲得できるシステムを用意しておく。ボーナスプランはマルチレベルボーナスシステム（AMWAY方式などに似た方式）を採用する。
【００１６】
本発明では、知り合いや友人が少なくても、あるいはほとんどの知り合いや友人を既に紹介し終わっていてもダウンラインを増やせるシステムを当該仲介サイト１上で説明しておく。
【００１７】
本発明の仲介サイト１からダウンライン（紹介者のいない新規登録者）を紹介してもらえる（つけてもらえる）方式について、以下詳細に説明する。
例えば初期のｍｉｘｉのように紹介者がいないと登録できない新規登録方式の場合でも、紹介者はいないが新規登録希望者（プロスペクト）は一定数存在する。また既存の紹介者必須新規登録システムの場合、仲介サイト１がサービスの広告を出した場合、紹介者はいないが新規登録したい希望者（プロスペクト）は増えるが入会する方法が無いため広告効率は低下してしまう。
【００１８】
一方で、マルチビジネスモデルは人から人への紹介と被紹介がないとシステムが存続できないし、ボーナスプランが成り立たない。このため紹介者無しの新規登録者（ユーザー４）を広く認めてしまうと組織の拡大が出来づらくなってくる。
【００１９】
本発明の仲介サイト１では、紹介者のいない新規登録者（ユーザー４）を、既存ユーザー４で一定の（あるいはオークション方式や比例配分法などで必要ポイントを変動させる方式で計算する）ポイントを仲介サイト１に支払って自分のダウンラインにしたい、紹介してもらいたい既存ユーザーに割り振る方式を採用する。
【実施例１】
【００２０】
（１）新規登録者を紹介希望者に割り振る具体例（その１）
○紹介必要ポイント固定方式
新規ユーザーを自分のダウンラインにする（自分が紹介したことにしてもらう）には５０ｐ必要に設定した場合（ＩＤは登録順に割り振ったとする）
例１  紹介希望者の方が新規入会者より多い場合
最新新規登録ユーザーのＩＤ                １０１２３４
仲介サイトより紹介済みユーザーＩＤの最後尾  １０１２６６  (待機32人）
例２  紹介希望者の方が新規入会者より少ない場合
最新新規登録ユーザーＩＤ                  １０１２３４
当該サイトより紹介済みユーザーＩＤの最後尾  １０１２０１  (待機 0人）
【００２１】
上記の例１の場合は最後に５０ｐ払って紹介を受けたユーザーはあと３２人新規登録者が入るまで待つことになる。
上記の例2の場合は待ちがゼロなのですぐに紹介してもらえる。
例1の場合は必要に応じて管理者が必要ポイント設定をアップさせて（例えば５０ｐ〜６０Ｐに変更）して待機を減らす。
この方式の場合、被紹介者自体が既にグループを持っている場合（ダウンラインが出来ている場合）紹介者のダウンラインやアップラインにまったくつながりの無い場合のみ紹介が可能となる。
【００２２】
（２）新規登録者を紹介希望者に割り振る具体例（その２）
紹介希望者にポイント入札（投資）させて、比例代表制の選挙による議席の割り振りと同じ方式（ドント方式）で新規登録者を割り振る方式も可能である。
【００２３】
今までのマルチとのボーナス獲得までの流れの違いの説明
今までのマルチの流れとしては、一般的には
（１）紹介される。
（２）商品やサービスを購入する。
（３）知り合いに紹介する。
を繰り返すものであった。
【００２４】
本発明の方式は、
（１）紹介される、あるいは紹介無しで登録する。
（２）アプリをダウンロード後インストールして（仲介サイト１がアフィリエイト業者１０のアフィリエイトを成立させるアクションをして）仲介サイト１から報酬ポイント（あるいはその他報酬）を獲得する。
（３）知り合いに紹介する。
（３’）獲得したポイントを使って新規登録者（ユーザー４）を自分のダウンラインとして獲得する（ダウンライン獲得手段９）。
【００２５】
このダウンライン獲得手段９が今までに無い新しいシステムで、この方式を用いれば知り合いが少ない人でも大きなボーナスの獲得を期待できる。また商品やサービスを購入する必要も無いので金銭的リスクも発生しない。また勧誘しても知り合いや友人を失う可能性が無いか、あるいは非常に少ない。
【００２６】
既に知られている、２ティア、3ティアの紹介制度を持つポイントサイトとの違いとしては、
（１）獲得ボーナスの対象範囲が子、孫などに限定されず、自分の紹介した被紹介者から増えたメンバー全てが対象となりうるのでより多くの報酬ポイントを獲得できる可能性があり、期待を持つことが出来る。
（２）知り合いが少なくてもダウンラインを増やすことが出来る。
【００２７】
本発明が、金銭的負担が無い理由
マルチボーナスの原資は商品やサービスを購入することにより得られるのではなくて、登録ユーザーがアプリやサービスをインストールしたり、使ったりすることで成立するアフィリエイト報酬より得られるものなので、有料利用や購入をボーナス獲得の必須条件としていないため、金銭的負担やリスクを生じない。
また当マルチボーナス報酬システムにおいて有料利用や購入をボーナス獲得の条件とするアプリや商品を採用した場合であったとしても、通常のポイントサイトやショッピングサイトのポイント獲得手段と同じでありノルマや強制力は生じない。
【００２８】
アップ（紹介者）とダウン（被紹介者）の関係
本発明では、ダウンライン獲得手段９により、ダウンラインをつけてもらえるが、従来のバイナリーの報酬プランなどでみられるアップラインが勧誘した新規登録者のラインの付け替えなどではなく、アップラインに依存しない。本発明の方法は、サービス提供者（運営主体）の仲介サイト１に紹介者無しで新規登録したユーザー４を有料で（要ポイントで）割り振ってもらう方式である点に特徴がある。
【００２９】
既存のマルチのと違い
（１）知り合いが少なくても拡大可能である。
本発明の方法では、自分の獲得ポイントで仲介サイト１より紹介者無しで登録した新規登録者（ユーザー４）を自動で割り振ってもらう（買う）システムである。誰がアップラインでも、誰がダウンラインでも、アップラインによるダウンラインのフォローや育成、連絡などの概念自体が無いので可能である。
（２）友達を無くす恐れが無い
アプリを紹介するだけで何かを買うのを薦めたり費用のかかるサービスを薦めたりするものではないので被紹介者に損をさせる恐れが無い。
（３）当然費用もかからず、アプリインストールで報酬ポイント（お金）が増えるのでリスクが無い。
【産業上の利用可能性】
【００３０】
本発明のスマートフォン向けのＷｅｂサイトのユーザー獲得方法は、スマートフォン向けのＷｅｂサイトを提供するインターネット上の現場で有効に利用することができる。
【符号の説明】
【００３１】
１…仲介サイト
２…仲介サイトサーバー
３…新規登録手段
４…ユーザー
５…アフィリエイトプログラム
６…プログラム紹介手段
７…報酬ポイント付与手段
８…アフィリエイト報酬支払い手段
９…ダウンライン獲得手段
１０…アフィリエイト業者
【図１】
2014067133.tif 000003